【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
最も像側に配置された正の屈折力のレンズ群Ｌｒと、該レンズ群Ｌｒの物体側に配置された正の屈折力のレンズ群Ｌｆを有し、ズーミングに際して隣り合うレンズ群の間隔が変化するズームレンズであって、
フォーカシングに際して前記レンズ群Ｌｆは移動し、前記レンズ群Ｌｒの最も物体側には、物体側に凹面を向けたメニスカス形状の負レンズユニットが配置されていることを特徴とするズームレンズ。
【請求項２】
前記レンズ群Ｌｆの物体側には、物体側から像側へ順に、正の屈折力の第１レンズ群、負の屈折力の第２レンズ群が配置され、広角端から望遠端へのズーミングに際して、前記第２レンズ群は像側へ移動し、前記レンズ群Ｌｆは像側へ凸状の軌跡を描きながら移動することを特徴とする請求項１に記載のズームレンズ。
【請求項３】
前記レンズ群Ｌｆの物体側には、物体側から像側へ順に、正の屈折力の第１レンズ群、負の屈折力の第２レンズ群、負の屈折力の第３レンズ群が配置され、広角端から望遠端へのズーミングに際して、前記第２レンズ群と前記第３レンズ群は像側へ移動し、前記レンズ群Ｌｆは像側へ凸状の軌跡を描きながら移動することを特徴とする請求項１に記載のズームレンズ。
【請求項４】
望遠端における全系の焦点距離をｆｔ、前記負レンズユニットの焦点距離をｆＲｎとするとき、
−１．５＜ｆＲｎ／ｆｔ＜−０．５
なる条件を満足することを特徴とする請求項１乃至３のいずれか１項に記載のズームレンズ。
【請求項５】
前記負レンズユニットの物体側と像側のレンズ面の曲率半径を各々Ｒｎｆ、Ｒｎｒとするとき、
−８．０＜（Ｒｎｆ＋Ｒｎｒ）／（Ｒｎｆ−Ｒｎｒ）＜−２．０
なる条件を満足することを特徴とする請求項１乃至４のいずれか１項に記載のズームレンズ。
【請求項６】
望遠端における全系の焦点距離をｆｔ、前記レンズ群Ｌｆの焦点距離をｆＬｆとするとき、
０．１＜ｆＬｆ／ｆｔ＜０．６
なる条件を満足することを特徴とする請求項１乃至５のいずれか１項に記載のズームレンズ。
【請求項７】
前記負レンズユニットの像側には、複数の正レンズと少なくとも１枚の負レンズが配置されていることを特徴とする請求項１乃至６のいずれか１項に記載のズームレンズ。
【請求項８】
前記レンズ群Ｌｒは、負の屈折力の部分群を有し、該部分群を光軸に対して垂直方向の成分を持つ方向に移動させることにより、結像位置を光軸に対して垂直方向に移動させることを特徴とする請求項１乃至７のいずれか１項に記載のズームレンズ。
【請求項９】
前記レンズ群Ｌｒの焦点距離をｆＬｒ、望遠端における全系の焦点距離をｆｔとするとき、
０．３５＜ｆＬｒ／ｆｔ＜０．７５
なる条件式を満足することを特徴とする請求項１乃至８のいずれか１項に記載のズームレンズ。 
【請求項１０】
前記レンズ群Ｌｆの物体側には、物体側から像側へ順に、正の屈折力の第１レンズ群、負の屈折力の第２レンズ群が配置され、前記第１レンズ群の焦点距離をｆ１、望遠端における全系の焦点距離をｆｔとするとき、
０．３＜ｆ１／ｆｔ＜０．６
なる条件式を満足することを特徴とする請求項１乃至９のいずれか１項に記載のズームレンズ。 
【請求項１１】
請求項１乃至１０のいずれか１項に記載のズームレンズと、該ズームレンズによって形成される像を受光する固体撮像素子を有することを特徴とする撮像装置。
【手続補正２】
【補正対象書類名】明細書
【補正対象項目名】００１３
【補正方法】変更
【補正の内容】
【００１３】
本発明のズームレンズは、最も像側に配置された正の屈折力のレンズ群Ｌｒと、該レンズ群Ｌｒの物体側に配置された正の屈折力のレンズ群Ｌｆを有し、ズーミングに際して隣り合うレンズ群の間隔が変化するズームレンズであって、
フォーカシングに際して前記レンズ群Ｌｆは移動し、前記レンズ群Ｌｒの最も物体側には、物体側に凹面を向けたメニスカス形状の負レンズユニットが配置されていることを特徴としている。
【手続補正３】
【補正対象書類名】明細書
【補正対象項目名】００１６
【補正方法】変更
【補正の内容】
【００１６】
以下に、本発明の好ましい実施の形態を、添付の図面に基づいて詳細に説明する。本発明のズームレンズは、最も像側に配置された正の屈折力のレンズ群Ｌｒと、該レンズ群Ｌｒの物体側に配置された正の屈折力のレンズ群Ｌｆを有している。そしてズーミングに際して隣り合うレンズ群の間隔が変化する。フォーカシングに際してレンズ群Ｌｆは移動する。レンズ群Ｌｒの最も物体側には、物体側に凹面を向けたメニスカス形状の負レンズユニットが配置されている。ここでレンズユニットとは単一レンズ又は複数のレンズを接合した接合レンズを含む。
【手続補正４】
【補正対象書類名】明細書
【補正対象項目名】００１７
【補正方法】変更
【補正の内容】
【００１７】
この他、本発明のズームレンズとしては、レンズ群Ｌｆの物体側には、物体側から像側へ順に、正の屈折力の第１レンズ群、負の屈折力の第２レンズ群が配置されている。そして広角端から望遠端へのズーミングに際して、第２レンズ群は像側へ移動し、レンズ群Ｌｆは像側へ凸状の軌跡を描きながら移動する。
【手続補正５】
【補正対象書類名】明細書
【補正対象項目名】００１８
【補正方法】変更
【補正の内容】
【００１８】
この他の本発明のズームレンズとしては、レンズ群Ｌｆの物体側には、物体側から像側へ順に、正の屈折力の第１レンズ群、負の屈折力の第２レンズ群、負の屈折力の第３レンズ群が配置されている。そして広角端から望遠端へのズーミングに際して、第２レンズ群と第３レンズ群は像側へ移動し、レンズ群Ｌｆは像側へ凸状の軌跡を描きながら移動する。
【手続補正６】
【補正対象書類名】明細書
【補正対象項目名】００２９
【補正方法】変更
【補正の内容】
【００２９】
矢印は広角端から望遠端へのズーミングにおける各レンズ群の移動軌跡を示している。図１、図４、図７の実施例１、２、３では広角端から望遠端へのズーミングに際して矢印の如く第２レンズ群L２は第１レンズ群L１との間隔を大にしつつ像側へ移動している。第３レンズ群L３は第２レンズ群L２との間隔を小にしつつ像側に凸状の軌跡で移動している。ズーミングに際して第１レンズ群Ｌ１と第４レンズ群Ｌ４は不動である。ズーミングに際して隣り合うレンズ群の間隔が変化する。無限遠物体から近距離物体へのフォーカシングに際して第３レンズ群Ｌ３は像側へ移動する。
【手続補正７】
【補正対象書類名】明細書
【補正対象項目名】００３０
【補正方法】変更
【補正の内容】
【００３０】
図１０の実施例４では広角端から望遠端へのズーミングに際して矢印の如く第２レンズ群Ｌ２は第１レンズ群Ｌ１との間隔を大にしつつ像側へ移動している。第３レンズ群Ｌ３は第２レンズ群Ｌ２との間隔を大にしつつ像側へ移動している。第４レンズ群Ｌ４は第３レンズ群Ｌ３との間隔を小にしつつ物体側に凸状の軌跡で移動している。ズーミングに際して隣り合うレンズ群の間隔が変化する。無限遠物体から近距離物体へのフォーカシングに際して第４レンズ群Ｌ４は像側へ移動している。
【手続補正８】
【補正対象書類名】明細書
【補正対象項目名】００４７
【補正方法】変更
【補正の内容】
【００４７】
各実施例において、レンズ群Ｌｒはメニスカス形状の負レンズユニットＲｎの像側に複数の正レンズと少なくとも１枚の負レンズを有するのが良い。これによれば全ズーム範囲にわたり諸収差の補正が容易になる。レンズ群Ｌｒは光軸に対し垂直方向の成分を持つ方向に移動して撮影画像を光軸に対して垂直方向に移動させる負の屈折力のレンズ群（部分群）ＩＳを有するのが良い。このときレンズ群ＩＳを正レンズと負レンズを有するように構成するのが良い。これによれば防振の際の偏心収差の発生を少なくしつつ、光学性能を良好に維持するのが容易となる。